(57)【要約】【課題】取付作業性の向上を図ったエレベータにおけるドア外れ止め部材の取り付け構造を提供する。【解決手段】ドアハンガー６に正六角形の取付穴６ａを穿設する一方で、外れ止めシュー８の取付軸９と同心状で且つ取付穴６ａに合致する形状のボス部８ｂを外れ止めシュー８の座面８ａから突出形成する。また、外れ止めシュー８の外周面８ｃと取付軸９とのなす距離がその取付軸９を回転中心とする回転方向で漸次変化するように外れ止めシュー８を偏心カム状として、ボス部８ｂと取付穴６ａとの係合位置を上記回転方向で段階的に調整することで、外れ止めシュー８とドアレール４との間隙を段階的に調整可能とする。【選択図】図２
2007269432.tif 000002
【特許請求の範囲】
【請求項１】
エレベータのスライドドアとドアレールとの間に介装されてスライドドアをドアレールに吊り下げ支持させているドアハンガーにハンガーローラとともに取り付けられ、ドアハンガーがドアレールから浮き上がったときにドアレールに当接してその浮き上がりに伴うスライドドアの脱落を防止するためのドア外れ止め部材の取付構造であって、
外周面がドアレールへの当接面として機能するドア外れ止め部材を取付軸とそれに螺合するねじ部材とをもってドア外れ止め部材の側面がドアハンガーに着座するように当該ドアハンガーに取り付けるとともに、
上記ドア外れ止め部材の外周面と取付軸とのなす距離がその取付軸を回転中心とする回転方向で漸次変化するように設定してあり、
上記ドア外れ止め部材の側面とドアハンガーのうちいずれか一方に位置決め穴を、他方にその位置決め穴と係合離脱可能な位置決め突起をそれぞれに設けるとともに、
上記ドアハンガーに対するドア外れ止め部材の回転方向の位置を段階的に調整可能とするべく、上記位置決め穴と位置決め突起との係合位置をドア外れ止め部材の回転方向で多段階に調整可能としたことを特徴とするエレベータにおけるドア外れ止め部材の取付構造。
【請求項２】
上記ドアハンガーに取付穴を兼ねた多角形の位置決め穴を設ける一方、
ドア外れ止め部材の側面に、その側面から突出して上記位置決め穴に挿入可能な取付軸と、上記位置決め穴と係合離脱可能であって且つ取付軸と同心状をなす多角形の位置決め突起をそれぞれ形成してあることを特徴とする請求項１に記載のエレベータにおけるドア外れ止め部材の取付構造。
【請求項３】
上記ドア外れ止め部材の側面とドアハンガーのうちいずれか一方であって且つ取付軸の軸心を回転中心とする同心円上に複数の位置決め穴を形成するとともに、他方にその位置決め穴と係合離脱可能な位置決め突起を形成してあることを特徴とする請求項１に記載のエレベータにおけるドア外れ止め部材の取付構造。
【請求項４】
上記ドアハンガーに取付穴および上記位置決め穴を設ける一方、
ドア外れ止め部材の側面に、その側面から突出して上記取付穴に挿入可能な取付軸と、上記位置決め穴と係合離脱可能な位置決め突起をそれぞれ形成してあることを特徴とする請求項３に記載のエレベータにおけるドア外れ止め部材の取付構造。
【請求項５】
上記ドア外れ止め部材は偏心カム状のものであって、そのプロフィール形状の一部に渦巻線形状を含んでいることを特徴とする請求項１〜４のいずれかに記載のエレベータにおけるドア外れ止め部材の取付構造。
【発明の詳細な説明】
【技術分野】
【０００１】
本発明はエレベータのスライドドアがドアレールから脱落することを防止するドア外れ止め部材の取付構造に関する。
【背景技術】
【０００２】
エレベータのスライドドアは、例えば特許文献１に記載のようにハンガーローラおよびアップスラストローラを備えたドアハンガーを介してドアレールに吊り下げられていて、上記ハンガーローラがドアレール上を走行することでスライドドアがドアレールに沿ってエレベータの出入口を開閉することとなる。一方で、アップスラストローラはドアレールに下方から近接するように配置されていて、ドアレールからハンガーローラが浮き上がったときに、アップスラストローラがドアレールに当接してその浮き上がりに伴うスライドドアの脱落を防止するドア外れ止め部材として機能する。
【０００３】
上記アップスラストローラとしては、すり割付きのねじ軸を備えた台座上にそのねじ軸の軸心に対して回転中心が偏心したローラを設けたものが従来から用いられていて、上記アップスラストローラはドアレールとの間に所定の間隙を設けた状態で上記ねじ軸とナットとをもってドアハンガーに固定されている。
【０００４】
ここで、上記アップスラストローラとドアレールとの間隙を調整する際には、スパナにて上記ナットを緩めてアップスラストローラのドアハンガーへの固定状態をいわゆる仮止め状態とした上で、上記すり割を用いてドライバーにて上記取付軸を回転させて上記ローラとドアレールとの間隙を調整する。その上で、上記取付軸を回転不能とすべくドライバーにて上記取付軸を固定しつつスパナを用いてナットを締め付けてアップスラストローラをドアハンガーに固定することとなる。
【特許文献１】特開２０００−２６０５３号公報
【発明の開示】
【発明が解決しようとする課題】
【０００５】
上述した従来のアップスラストローラでは、上記間隙の調整後にアップスラストローラをドアハンガーに固定する際に、上記取付軸を回転不能とすべくその軸心で固定するため、上記取付軸の回転を完全に阻止することは困難であり、ナット締付時に上記取付軸が共回りして上記間隙が変化する恐れがある。したがって、上記ローラの取付位置をナット締付時における取付軸の回転量を考慮して調整する必要が生じ、その作業が煩雑となり好ましくない。
【０００６】
また、上記ローラはいわゆる片持ち状態で支持されているとともに、上記ローラとドアハンガーとの間には上記台座が介在しているため、上記ローラがドアレールに押し付けられた際における上記取付軸の負荷が大きく、強度上好ましくない。
【０００７】
本発明は上記の課題に鑑みてなされたものであり、特に、ドア外れ止め部材の調整作業を容易に行えるようにしてメンテナンス性に優れたドア外れ止め部材の取付構造を提供することを目的としている。
【課題を解決するための手段】
【０００８】
請求項１に記載の発明は、エレベータのスライドドアとドアレールとの間に介装されてスライドドアをドアレールに吊り下げ支持させているドアハンガーにハンガーローラとともに取り付けられ、ドアハンガーがドアレールから浮き上がったときにドアレールに当接してその浮き上がりに伴うスライドドアの脱落を防止するためのドア外れ止め部材の取付構造であることを前提として、外周面がドアレールへの当接面として機能するドア外れ止め部材を取付軸とそれに螺合するねじ部材とをもってドア外れ止め部材の側面がドアハンガーに着座するように当該ドアハンガーに取り付けるとともに、上記ドア外れ止め部材の外周面と取付軸とのなす距離がその取付軸を回転中心とする回転方向で漸次変化するように設定してあり、上記ドア外れ止め部材の側面とドアハンガーのうちいずれか一方に位置決め穴を、他方にその位置決め穴と係合離脱可能な位置決め突起をそれぞれに設けるとともに、上記ドアハンガーに対するドア外れ止め部材の回転方向の位置を段階的に調整可能とするべく、上記位置決め穴と位置決め突起との係合位置をドア外れ止め部材の回転方向で多段階に調整可能としたことを特徴としている。
【０００９】
したがって、少なくとも請求項１に記載の発明では、上記ドア外れ止め部材の外周面と取付軸とのなす距離がその取付軸を回転中心とする回転方向で漸次変化するように設定されているため、上記位置決め穴と位置決め突起との係合位置をドア外れ止め部材の回転方向で段階的に調整することで、上記ドア外れ止め部材とドアハンガーとの間隙が変化することとなる。また、上記位置決め突起と位置決め穴との係合位置を係合させつつ、上記ドア外れ止め部材の側面をドアハンガーに着座させることで上記ドア外れ止め部材の回転方向の位置決めがなされ、ねじ部材を取付軸に螺合した際のドア外れ止め部材の共回りが防止される。
【００１０】
上記位置決め突起および位置決め穴としては、例えば請求項２に記載のように、上記ドアハンガーに取付穴を兼ねた多角形の位置決め穴を設ける一方で、ドア外れ止め部材の側面に、その側面から突出して上記位置決め穴に挿入可能な取付軸と、上記位置決め穴と係合離脱可能であって且つ取付軸と同心状をなす多角形の位置決め突起をそれぞれ形成するとよい。
【００１１】
または、請求項３，４に記載のように、ドアハンガーに、取付穴と、取付軸の軸心を回転中心とする同心円上に形成された複数の位置決め穴をそれぞれ設ける一方で、ドア外れ止め部材の側面に、その側面から突出して上記取付穴に挿入可能な取付軸と、上記位置決め穴と係合離脱可能な位置決め突起をそれぞれ形成するものとする。
【００１２】
さらに、上記ドア外れ止め部材としては例えば請求項５に記載のように、偏心カム状で且つそのプロフィール形状の一部に渦巻線形状を含むものを用いるとよい。
【発明の効果】
【００１３】
請求項１に記載の発明によれば、上記位置決め突起と位置決め穴とを係合させることでドア外れ止め部材のドアハンガーに対する相対位置決めがなされ、取付軸にねじ部材を螺合させる際にドア外れ止め部材を回転不能となるように固定する必要がないため、ドア外れ止め部材の取り付けが容易となる上にドア外れ止め部材とドアレールとの間隙を調整する際におけるメンテナンス性も向上する。
【発明を実施するための最良の形態】
【００１４】
図１は本発明のより具体的な実施の形態としてエレベータの出入口を開閉するスライドドアを示す斜視図である。
【００１５】
図１に示すようにエレベータの出入口１は対向配置された縦枠２同士の間に形成されていて、その縦枠２の上部同士をヘッダー３にて連結している。ヘッダー３は左右方向に沿って配設されたドアレール４を備えているとともに、そのドアレール４にスライドドア５が吊り下げ支持されていて、スライドドア５がドアレール４に案内されて出入口１を開閉することとなる。なお、出入口１は複数枚のスライドドア５にて開閉されるが、各スライドドア５は互いに同様な構造をもってドアレール４に吊り下げられているため図示を省略している。
【００１６】
より詳細には、スライドドア５とドアレール４との間に略平板状のドアハンガー６が介装されているとともに、ドアハンガー６はスライドドア５と一体に連結されている。そのドアハンガー６の左右両端側には回転自在なハンガーローラ７が設けられていて、そのハンガーローラ７がドアレール４に係合しつつドアレール４上を転動・走行するようになっている。
【００１７】
また、ドアレール４を挟んでハンガーローラ７と対向するようにしてドア外れ止め部材たる偏心カム状の外れ止めシュー８がドアハンガー６上に配置されていて、ハンガーローラ７と外れ止めシュー８とでドアレール４を上下から挟み込んでいるとともに、外れ止めシュー８とドアレール４との間には微小な間隙が設けられている。したがって、ハンガーローラ７がドアレール４から浮き上がったとき、すなわちドアハンガー６がドアレール４から浮き上がったときに、外れ止めシュー８のうち当接面として機能する外周面がドアレール４に当接し、その浮き上がりに伴うスライドドア５の脱落を防止することとなる。なお、外れ止めシュー８は例えば硬質樹脂から形成するとよい。
【００１８】
図２は図１における外れ止めシュー８の分解斜視図である。
【００１９】
図２に示すように、外れ止めシュー８にはその側面たる座面８ａから突出する取付軸９が例えばインサート成形にて一体的に嵌合固定されているとともに、取付軸９と同心状をなす正六角形のボス部８ｂが位置決め突起として座面８ａから突出形成されている。なお、取付軸９の外周面には図示しないおねじ部が形成されている。
【００２０】
一方、ドアハンガー６には位置決め穴を兼ねた取付穴６ａが穿設されていて、その取付穴６ａはボス部８ｂと同様な正六角形状であるとともに、その取付穴６ａを形成している平坦な六つの内壁面６ｂのうちいずれか一つがドアレール４の下端面と平行となるように設定してある。
【００２１】
取付穴６ａとボス部８ｂとは係合離脱可能となっているとともに、取付軸９を回転中心とした回転方向でボス部８ｂと取付穴６ａとの係合位置を段階的に調整可能となっていて、取付穴６ａに取付軸９を挿入しつつ、ボス部８ｂと取付穴６ａを係合させて座面８ａをドアハンガー６に着座させた上で、取付軸９とそれに螺合するねじ部材たるナット１０とをもって外れ止めシュー８をドアハンガー６に固定することとなる。言い換えれば、ドアハンガー６に対する外れ止めシュー８の取付位置、すなわち取付軸９を回転中心とした外れ止めシュー８の回転方向の取付位置はボス部８ｂと取付穴６ａとの係合によって決定されるものの、そのボス部８ｂと取付穴６ａとの回転方向での相対的な係合位置を選択的に切り換えることで、外れ止めシュー８の回転方向での取付位置が６０度ごとに段階的に調整可能となっている。
【００２２】
図３は外れ止めシュー８の正面図であって、図４はボス部８ｂと取付穴６ａとの係合位置を回転方向で段階的に変化させた際の外れ止めシュー８とドアレール４との相対位置関係を示す図である。
【００２３】
図３から明らかなように、偏心カム状の外れ止めシュー８はその外周面８ｃのプロフィール形状として、外周面８ｃそのものと取付軸９とのなす距離が当該外周面８ｃのほぼ全周において取付軸９を回転中心とする回転方向で漸次変化するカム面状のものとして形成されていて、実質的にそのプロフィール形状は例えばインボリュート曲線に代表されるような渦巻線形状をもって形成されているとともに一部に平坦面８ｄを含んでいる。
【００２４】
そして、外れ止めシュー８を円周方向で６０度ごとに六等分した外周面８ｃ上の位置を各当接部Ｐ１〜Ｐ６として設定してあるとともに、当接部Ｐ６が平坦面８ｄ上に位置するように設定してある。つまり、取付軸９の軸心から各当接部Ｐ１〜Ｐ６までの距離が互いに異なるように設定してあるとともに、例えば外れ止めシュー８の正転方向または逆転方向の一方向において取付軸９の軸心から各当接部Ｐ１〜Ｐ６までの距離が段階的に増加または減少するように設定してある。同時に、外周面８ｃ上の各当接部Ｐ１〜Ｐ６と六角形状のボス部８ｂとの相対位置関係として、上記外周面８ｃ側の平坦面８ｄとボス部８ｂ側の平坦面８ｅのうちいずれか一つとが互いに平行となるように設定してあり、その結果として図３においてボス部８ｂ側の各平坦面８ｅの幅寸法を二分する各中心線Ａ上に各当接部Ｐ１〜Ｐ６が位置するようになっている。
【００２５】
すなわち、ボス部８ｂが取付穴６ａに係合したときに、ボス部８ｂのうちいずれかの平坦面８ｅがドアレール４の下端面に平行で且つ対向するように配置され、各当接部Ｐ１〜Ｐ６のうちその平坦面８ｅに対応するものがハンガーローラ７のドアレール４からの浮き上がりを阻止すべくドアレール４に当接してドア脱落防止機能を発揮することとなる。ここで、取付軸９を回転中心とした回転方向でボス部８ｂと取付穴６ａとの係合位置を変更すると、ドア脱落防止機能を発揮することとなる当接部も変更されて外れ止めシュー８とドアレール４との間隙が変化する。
【００２６】
例えば、本実施の形態では外れ止めシュー８の外周面８ｃのプロフィール形状として、当接部Ｐ１での半径が最大半径となり、且つ当接部Ｐ６での半径が最小半径となるように設定してあるとともに、さらに図３の時計回り方向において最大半径の当接部Ｐ１から最小半径の当接部Ｐ６に向かってその半径が段階的に小さくなるように当接部Ｐ１，Ｐ６以外の各当接部Ｐ２〜Ｐ５の半径を設定してある。そして、図４に示すようにドアレール４の下端面に相当する線Ｂを基準とし、各当接部Ｐ１〜Ｐ６が線Ｂと正対するように外れ止めシュー８を６０度ごとに割り出してその回転方向位置を段階的に変化させたと仮定した場合に、先に述べたように各当接部Ｐ１〜Ｐ６での半径が段階的に変化するように設定してあるために、各当接部Ｐ１〜Ｐ６と線Ｂとのなす間隙もまた段階的に変化することになる。ここでは、当接部Ｐ１を線Ｂと正対する位置に割り出したと仮定した場合に両者のなす間隙の大きさが最小で且つ零となり、また線Ｂと正対する当接部がＰ２〜Ｐ５と段階的に変化するのに伴って、線Ｂとそれらの当接部Ｐ２〜Ｐ５とのなす間隙ｇ１〜ｇ４も段階的に増加することになる。さらに、当接部Ｐ６を線Ｂと正対する位置に割り出したと仮定した場合に両者のなす間隙ｇ５が最大となることになる。これにより、外れ止めシュー８はその外周面８ｃのプロフィール形状がｇ１＜ｇ２＜ｇ３＜ｇ４＜ｇ５となるように設定してある。
【００２７】
以上のように構成した外れ止めシュー８をドアハンガー６に取り付ける際には、先ず、取付軸９をドアハンガー６側の取付穴６ａに挿入するも、取付穴６ａとボス部８ｂとが係合することなくドアハンガー６に対して回転可能な状態に外れ止めシュー８を保持し、その外れ止めシュー８の外周面８ｃのうち平坦面８ｄ（当接部Ｐ６）をドアレール４の下端面と正対させる。そして、なおも、取付穴６ａとボス部８ｂとが係合しない状態を維持しつつ外れ止めシュー８を時計回り方向に回転させて、外れ止めシュー８の外周面８ｃの一部がドアレール４の下端面に圧接し、且つその外れ止めシュー８の外周面８ｃとドアレール４の下端面とのなす間隙が実質的に零となる位置を割り出す（この割り出した位置を基準位置という）。
【００２８】
外れ止めシュー８を基準位置に割り出したならば、その位置にて外れ止めシュー８をドアハンガー６に押し付けながらゆっくりと反時計回り方向に回転させ、最初に取付穴６ａとボス部８ｂとが係合して座面８ａがドアハンガー６に着座する位置を割り出す。その状態で外れ止めシュー８の外周面８ｃとドアレール４の下端面とのなす間隙が適正であるかどうかチェックし、適正であればドアハンガーの裏面側から例えば図２のようにスパナＳを用いて取付軸９に対しナット１０を締め付けて外れ止めシュー８をその位置に固定する。これをもって外れ止めシュー８の取り付けが完了する。
【００２９】
一方、最初に取付穴６ａとボス部８ｂとが係合した状態での外れ止めシュー８の外周面８ｃとドアレール４の下端面とのなす間隙が適正でない（間隙が小さすぎる）場合には、取付穴６ａとボス部８ｂとの係合を一旦解除した上で、先の場合と同様に外れ止めシュー８をドアハンガー６に押し付けながら反時計回り方向に回転させて、次に取付穴６ａとボス部８ｂとが係合する位置を割り出す。これによって、先の場合よりも外れ止めシュー８の外周面８ｃとドアレール４の下端面とのなす間隙が増大していることとなり、その間隙が適正であるかどうかチェックし、適正であれば上記と同様にドアハンガーの裏面側から取付軸９に対しナット１０を締め付けて外れ止めシュー８をその位置に固定する。これをもって外れ止めシュー８の取り付けが完了する。また、間隙の大きさのチェックの結果、最初の間隙の大きさの方が適正と判断される場合には、外れ止めシュー８を時計回り方向に一段戻して元の状態に戻す。
【００３０】
なお、外れ止めシュー８の取付後に、例えばドアレール４またはハンガーローラ７の磨耗により外れ止めシュー８とドアレール４との間隙が増加してその調整をする必要が生じた場合には、例えばスパナＳにてナット１０を緩めてボス部８ｂと取付穴６ａとの係合を一旦解除した上で、上述のようにボス部８ｂと取付穴６ａとの係合位置を割り出し、その係合位置にて両者を係合させてナット１０にて外れ止めシュー８をドアハンガー６に固定する。
【００３１】
したがって、以上のように構成した外れ止めシュー８の取付構造によれば、ボス部８ｂと取付穴６ａとの係合により外れ止めシュー８がドアハンガー６に対して相対回転不能となるため、取付軸９にナット１０を螺合させる際に外れ止めシュー８を回転不能とすべく固定する必要がなく、外れ止めシュー８の取り付けが容易となる上にそのメンテナンス性も向上する。その上、取付軸９にナット１０を螺合させる際に外れ止めシュー８を回転不能とすべく固定するための作業スペースも不要となり、外れ止めシュー８の配置における設計自由度が高まる。
【００３２】
また、外れ止めシュー８が直接ドアハンガー６に着座しているため、外れ止めシュー８とドアハンガー６との接触面積が広くなるとともに、いわゆる片持ち状態で支持される外れ止めシュー８のドアハンガー４からの突出量が従来と比べて小さくなり、外れ止めシュー８の外周面がドアレール４に押し付けられたときの取付軸９の負荷が小さく、強度上有利となるメリットがある上に、外れ止めシュー８のドアハンガー４からの突出量が小さいため、スペース効率が向上するメリットがある。
【００３３】
その上、外れ止めシュー８とドアハンガー６とが相対回転することによる外れ止めシュー８とドアレール４との間隙の変化がボス部８ｂと取付穴６ａとの係合にて防止され、外れ止めシュー８とドアレール４との間隙の調整頻度を少なくすることができるメリットがある。
【００３４】
なお、本実施の形態では、ハンガーローラ７と外れ止めシュー８とでドアレール４を挟み込むようにしたが、例えばチャンネル状のドアレールを用いる場合には、そのドアレールのコ字状空間内にハンガーローラ７と外れ止めシュー８を配置することももちろん可能である。
【００３５】
また、本実施の形態では一例としてボス部８ｂの形状を正六角形としたが、ボス部８ｂの形状としては正六角形のほかに例えば正八角形や正十二角形など他の正多角形を採用することももちろん可能であり、ボス部８ｂを多角形化することで外れ止めシュー８の位置決め自由度を高めることができる。
【００３６】
さらに、外れ止めシュー８としては上述した樹脂製のもののほかに例えば金属製やゴム製のものを用いることも可能である。
【００３７】
図５は本発明の第２の実施の形態を示す図であって、外れ止めシューの分解斜視図である。
【００３８】
図５に示す第２の実施の形態は、ドアハンガー２０に穿設された取付穴２０ａを丸穴とするとともに、その取付穴２０ａの軸心、すなわち取付軸９の軸心を回転中心とする同心円上に複数の位置決め穴２０ｂを穿設したものであって、外れ止めシュー２１の座面２１ａのうち位置決め穴２０ｂに対応する位置に半球状の位置決め突起２１ｂを突出形成してある。なお、位置決め穴２０ｂは丸穴であるとともに、位置決め突起２１ｂを位置決め穴２０ｂに合致する形状としていて、位置決め突起２１ｂは位置決め穴２０ｂと係合離脱可能となっている。
【００３９】
以上のように構成した外れ止めシュー２１をドアハンガー２０に取り付ける際には、第１の実施の形態と同様に位置決め穴２０ｂと位置決め突起２１ｂとの係合位置を割り出し、その係合位置にて両者を係合させてナット１０にて外れ止めシュー２１をドアハンガー２０に固定することとなる。
【００４０】
したがって、第２の実施の形態における外れ止めシュー２１によれば第１の実施の形態と同様の効果が得られる。
【００４１】
図６は図５における位置決め穴２０ｂおよび位置決め突起２１ｂの変形例を示す図であって、外れ止めシューの分解斜視図である。
【００４２】
図６に示す変形例は位置決め穴２０ｃを長穴とするとともに、位置決め穴２０ｃに合致する略平行キー状の位置決め突起２２ｂを外れ止めシュー２２の座面２２ａから突出形成したものであって、第２の実施の形態と同様の効果が得られる。
【図面の簡単な説明】
【００４３】
【図１】本発明の第１の実施の形態を示す図であって、エレベータの出入り口を開閉するスライドドアを示す斜視図。
【図２】図１における外れ止めシューの分解斜視図。
【図３】図２における外れ止めシューの正面図。
【図４】ボス部と取付穴との係合位置を回転方向で段階的に変化させた際の外れ止めシューとドアレールとの相対位置関係を示す図。
【図５】本発明の第２の実施の形態を示す図であって、外れ止めシューの分解斜視図。
【図６】図５における位置決め突起および位置決め穴の変形例を示す図。
【符号の説明】
【００４４】
４…ドアレール
５…スライドドア
６…ドアハンガー
６ａ…取付穴（位置決め穴）
７…ハンガーローラ
８…外れ止めシュー（ドア外れ止め部材）
８ａ…座面（側面）
８ｂ…ボス部（位置決め突起）
９…取付軸
１０…ナット（ねじ部材）
２０…ドアハンガー
２０ａ…取付穴
２０ｂ…位置決め穴
２０ｃ…位置決め穴
２１…外れ止めシュー（ドア外れ止め部材）
２１ａ…座面（側面）
２１ｂ…位置決め突起
２２…外れ止めシュー（ドア外れ止め部材）
２２ａ…座面（側面）
２２ｂ…位置決め突起
【図１】
2007269432.tif 000003
【図２】
2007269432.tif 000004
【図３】
2007269432.tif 000005
【図４】
2007269432.tif 000006
【図５】
2007269432.tif 000007
【図６】
2007269432.tif 000008